(57)【特許請求の範囲】
【請求項１】
記憶した楽譜情報の譜面を表示し、表示する譜面を譜面表示制御情報信号に従って更新する電子譜面提供装置において、
総楽譜情報を入力し、この総楽譜情報を予め演奏パート別に分別して送信する楽譜管理装置と、演奏パート別の楽譜情報を予め受信して記憶し、記憶した楽譜情報を譜面表示する複数の電子譜面台を備え、
更に、前記楽譜管理装置は、表示譜面の更新を指示する指示手段と、この指示手段からの指示に基づいて譜面表示制御情報信号を送信する手段を備え、
前記複数の電子譜面台は、それぞれ、前記楽譜管理装置から送信される譜面表示制御情報信号を受信する受信手段と、譜めくり指示手段と、同一演奏パートの他の電子譜面台に譜めくり情報を送信する送信手段と、同一演奏パートの他の電子譜面台から伝送される譜めくり情報を受信する受信手段と、前記受信手段によって受信した譜面表示制御情報信号および前記譜めくり情報および前記譜めくり指示手段からの指示に基づいて表示譜面の更新を行う手段を備えたことを特徴とする電子譜面提供装置。
【発明の詳細な説明】
【０００１】
【発明の属する技術分野】
本発明は、電子譜面提供装置に関する。
【０００２】
【従来の技術】
オーケストラなどにおける演奏者は、各演奏パート別の譜面を曲の進行に従って各自が手めくりする方式が一般的であり、譜面をめくる度に演奏を中断しなければならず非能率的であった。また、紙ベースの譜面は磨耗が激しく、演奏者数分用意することは極めて非効率的であり、更に、演奏を録音する際においては、しばしば、譜面をめくる音がノイズとして録音されてしまう不都合があった。
【０００３】
このような問題を解決するために、特開２０００−２３１３７９号公報に記載された「電子譜面台及び電子譜面の表示方法」（従来技術１）や特開平１０−２５４４３４号公報に記載された「電子楽器」（従来技術２）及び特開平５-７３０４２号公報に記載された「電子楽譜表示装置」（従来技術３）が提案されている。
【０００４】
従来技術１の「電子譜面台及び電子譜面の表示方法」は、譜面デスプレイに表示譜面の更新（譜面めくり）の制御手段を設け、取り込んだ音データと譜面データを対比し、その差をトレースして譜めくりを行う方法や、フットスイッチなどを使用してマニュアルで譜めくりを行う方法を提案している。更に、電子譜面台に通信機能を設けることにより、ネットワークを利用して譜面情報を電子的に配送することも開示されている。
【０００５】
また、従来技術２の「電子楽器」は、電子譜面台が電子楽器の演奏情報を取り込み、楽曲の演奏進捗に応じて譜面の更新（譜めくり）指示情報を電子楽器に伝え、譜面の旧（演奏済み）情報から新情報に部分的に改ページしながら譜面の更新を行う方法を提案している。
【０００６】
一方、従来技術３の「電子楽譜表示装置」は、物理的に楽譜をめくる操作を必要としない電子楽譜表示装置を提案している。
【０００７】
【発明が解決しようとする課題】
しかし、これらの装置および方法は、下記の点についての配慮に欠けている。
【０００８】
従来技術１の「電子譜面台及び電子譜面の表示方法」は、
ａ）個人演奏向けの譜面提供を対象にしており、複数の音源が交わるオーケストラに適用しようとすると、アコステイック入力音源が混在するために樂曲進行を正確に把握することができなくなり、正常に機能しなくなる、
ｂ）スタンドアロンの譜面台であり、オーケストラのように複数のメンバーが同じタイミングで楽譜を更新することには不向きである、
ｃ）同じ樂曲のソース譜面から、複数の演奏譜面パートに変換して各パート毎に好適な譜面を提供することができない。
【０００９】
また、従来技術２の「電子楽器」は、
ｄ）電子譜面台の使用には電子楽器から直に音源を入力することが前提となっていて、オーケストラにおけるアコステイックな音源から音を入力して譜面を更新することができない、
ｅ）更に、ａ）〜ｃ）の点についても配慮がなされていない。
【００１０】
更に、従来技術３の「電子楽譜表示装置」は、
ｆ）ａ）〜ｃ）についての配慮に欠けている。
【００１１】
本発明の目的は、オーケストラのような多人数の演奏者に対して好適な譜面を提供することができる便利な電子譜面提供装置を提供することにある。
【００１２】
具体的には、多数の電子譜面台に対して楽譜情報の提供および演奏中の表示譜面の更新（譜めくり）を容易にすることにある。
【００１３】
【課題を解決するための手段】
本発明は、記憶した楽譜情報の譜面を表示し、表示する譜面を譜面表示制御情報信号に従って更新する電子譜面提供装置において、総楽譜情報を入力し、この総楽譜情報を演奏パート別に分別して送信する楽譜管理装置と、演奏パート別の楽譜情報を受信して記憶し、記憶した楽譜情報を譜面表示し、前記楽譜管理装置および同一演奏パートの他の電子譜面台からの譜面表示制御情報信号に基づいて譜めくりする電子譜面台を備えたことを特徴とする。
【００１４】
【発明の実施の形態】
以下、本発明の実施の形態について説明する。
【００１５】
図１は、本発明の電子譜面提供装置の一実施の形態を示す機能ブロック図であり、楽譜管理装置の構成を詳述している。
【００１６】
管理者用電子譜面台１１０は、演奏管理者（指揮者やその他の管理者）が参照し、指示入力する譜面台であり、総楽譜の入力や表示や分配や表示譜面の更新（譜めくり）などを指示するために、指示入力表示部１１１と譜面表示部（譜面部）１１２と、譜めくり指示用フットスイッチ１１３を備える。
【００１７】
楽譜管理装置２００は、管理者用電子譜面台１１０からの指示入力に従って、楽譜情報媒体３００（またはＡＳＰサーバ３１０を介してインターネット配信）の楽曲の総楽譜情報を取り込んで記憶し、この総楽譜情報を各演奏楽器（演奏パート）毎の演奏パート別楽譜情報に分別して該当する各演奏者用電子譜面台１２０，１３０，１４０…に伝送して記憶させ、各演奏者用電子譜面台１２０，１３０，１４０…の表示譜面の更新を指示する。
【００１８】
そのために、この楽譜管理装置２００は、楽譜情報を記憶する楽譜記憶部（ＤＢ）２１０と、楽譜情報媒体３００から楽曲の総楽譜情報を取り込み、小節毎に格納アドレスを割り付け、演奏パート別に前記楽譜記憶部２１０に格納する楽譜情報記憶処理部２２０と、総楽譜情報から各演奏者用電子譜面台１２０，１３０，１４０…に相応する演奏パート別の楽譜情報を分配するために、楽譜記憶部２１０から演奏パート別に楽譜情報を取り込み、各々に識別情報を割り当て、演奏パート専用楽譜情報に編集し直す演奏パート別楽譜情報分配処理部２３０と、演奏パート専用楽譜情報（演奏パート別楽譜情報と識別情報）や指示情報と識別情報をそれぞれ１パケットの送信データフォーマットに編集して送信機に転送する送信データ編集処理部２４０と、送信データを各演奏者用譜面台１２０，１３０，１４０…に向けて無線送信する送信機２５０と、管理者用電子譜面台１１０で表示する譜面画像データを生成する表示処理部２６０と、指示入力表示部１１１から入力される指示情報信号を取り込む入力処理部２７０と、入力処理部２７０によって取り込んだ指示情報信号を判別して前記楽譜情報記憶処理部２２０，演奏パート別楽譜情報分配処理部２３０，送信データ編集処理部２４０，表示処理部２６０に指示情報信号を送る操作情報判別部２８０を備える。
【００１９】
実際には、前記楽譜管理装置２００の楽譜記憶部２１０と楽譜情報記憶処理部２２０と演奏パート別楽譜情報分配処理部２３０と送信データ編集処理部２４０と表示処理部２６０と入力処理部２７０と操作情報判別部２８０は、小型コンピュータシステムによって構成する。
【００２０】
ここで、楽譜記憶部２１０と楽譜情報記憶処理部２２０と演奏パート別楽譜情報分配処理部２３０について、図２に示す機能ブロック図を参照して詳述する。
【００２１】
楽譜情報記憶処理部２２０は、記憶情報媒体３００から取り込んだ総楽譜情報を１〜ｎ小節毎のアドレスに分類し、更に、各小節の内容を演奏パート別の楽譜構成として詳細アドレスを割り付けて楽譜記憶部２１０に格納する。
【００２２】
演奏パート別楽譜情報分配処理部２３０は、楽譜記憶部２１０から読み出した総楽譜情報から演奏パート別の楽譜情報を抽出するセグメンテーション処理部２３１と、各演奏パート別楽譜情報に編集する演奏パート＃楽譜処理部２３２と、各演奏パート別の楽譜情報を演奏パート別のパケットに整理して送信データ編集処理部２４０に転送するパート別データ転送処理部２３３を備える。そして、各演奏パート別の楽譜情報をそれぞれ１つのパケットに整理して出力する。
【００２３】
送信データ編集処理部２４０は、各演奏者用電子譜面台１２０，１３０，１４０…にダウンロードする楽譜情報および譜めくり指示などの譜面表示制御情報信号の編集を行う。
【００２４】
図３は、譜面再生装置である演奏者用電子譜面台１２０，１３０，１４０…の構成を示す機能ブロック図である。各演奏者用電子譜面台１２０，１３０，１４０…は、それぞれ同一構成であるので、演奏者用電子譜面台１２０を例示して説明する。
【００２５】
演奏者用電子譜面台１２０は、送受信機１２１と、楽譜情報記憶処理部１２２と、楽譜記憶部１２３と、楽譜情報編集処理部１２４と、演奏パート別楽譜情報分配処理部１２５と、表示処理部１２６と、３ステートバスドライバー処理部１２７と、譜面表示部１２８と、指示入力表示部１２９と、譜めくり指示用フットスイッチ１３１と、入力処理部１３２と、デコーダ１３３と、前後ページ指定処理部１３４と、任意ページ指定処理部１３５と、桝目番号指定処理部１３６と、オート／マニュアル切替処理部１３７と、ダウンロード／演奏切替処理部１３８と、譜めくり連動設定処理部１３９と、表示倍率指定処理部１４１と、画面明度・彩度調整処理部１４２とを備える。
【００２６】
そして、この演奏者用電子譜面台１２０は、楽譜管理装置２００から送信された楽譜情報および譜面表示制御情報信号を送受信機１２１によって受信し、ダウンロードする楽譜情報は、楽譜情報記憶処理部１２２によって楽譜記憶部１２３に格納する。この楽譜記憶部１２３に記憶している楽譜情報は、譜面表示制御情報信号に従って楽譜情報編集処理部１２４によって読み出して表示楽譜に編集し、表示処理部１２６によって譜面画像データに変換し、３ステートバスドライバー処理部１２７によって画面明度および彩度を調整して譜面表示部１２８に表示する。楽譜情報編集処理部１２４は、楽譜管理装置２００から送信される譜面表示制御情報信号および指示入力表示部１２９および譜めくり指示用フットスイッチ１３１からの指示に応動する。
【００２７】
前記楽譜情報記憶処理部１２２〜３ステートバスドライバー処理部１２７および入力処理部１３２〜画面明度・彩度調整処理部１４２は、小型コンピュータシステムによって構成する。
【００２８】
楽譜管理装置２００からダウンロードする楽譜情報は、総楽譜（全演奏パート）情報と演奏パート別楽譜情報を選択することができる。従って、総楽譜情報をダウンロードして楽譜記憶部１２３に記憶しているときには、楽譜情報編集処理部１２４における演奏パート別楽譜情報の表示楽譜編集処理は、演奏パート別楽譜情報分配処理部１２５によって当該演奏パートの楽譜情報を分別処理して行う。
【００２９】
指示入力表示部１２９のスイッチ表示ボタンおよび譜めくり指示用フットスイッチ１３１からの譜面表示制御情報信号は、入力処理部１３２によって入力し、デコーダ１３３によって解析して、制御情報信号の内容により、前後ページ指定処理部１３４と、任意ページ指定処理部１３５と、桝目番号指定処理部１３６と、オート／マニュアル切替処理部１３７と、ダウンロード／演奏切替処理部１３８と、譜めくり連動設定処理部１３９と、表示倍率指定処理部１４１と、画面明度・彩度調整処理部１４２に分岐する。
【００３０】
前後ページ指定処理と任意ページ指定処理と桝番号指定処理の結果（譜めくり情報）は、譜めくり連動モードにおいては、同一演奏パートの他の演奏者用電子譜面台にも伝送するために送受信機１２１から送信する。
【００３１】
図４は、演奏者用電子譜面台１２０の表示画面の構成を例示している。この演奏者用電子譜面台１２０の表示画面の構成は、管理者用電子譜面台１１０にも適用する。表示画面の下辺部に指示入力表示部１２９を区画し、その他の領域に譜面表示部１２８を区画し、指示入力表示部１２９のスイッチ表示ボタンに触れることにより指示入力する構成である。
【００３２】
指示入力表示部１２９の各スイッチ表示ボタンは、以下に述べるように意味付けしている。
【００３３】
スイッチ表示ボタン▲１▼は、表示譜面を前ページに戻すことを指示するボタンであり、練習などにおいて譜面を前ページに戻す場合に使用する。
【００３４】
スイッチ表示ボタン▲２▼は、任意のページに譜めくりすることを指示するボタンである。
【００３５】
スイッチ表示ボタン▲３▼は、桝目＃を指定し、その桝目＃の表記しているページに譜めくりすることを指示するボタンである。
【００３６】
スイッチ表示ボタン▲４▼は、オート／マニュアルのモード切替ボタンであり、授受する楽譜情報が当該演奏パート専用のものとするときにはオートモードをセットし、総楽譜を授受して記憶し、譜面表示するときに演奏パートを選択するときにはマニュアルモードにセットする。
【００３７】
スイッチ表示ボタン▲５▼は、モード切替スイッチであり、楽譜情報を授受して記憶するダウンロードモードと、記憶している楽譜を表示する演奏モードの切り替えを指示するボタンである。
【００３８】
スイッチ表示ボタン▲６▼は、譜めくり連動スイッチであり、同一演奏パートの譜面表示を行う他の演奏者用電子譜面台と譜めくりを連動させることを指示するボタンである。
【００３９】
スイッチ表示ボタン▲７▼は、表示倍率を任意に指示するためのスイッチであり、演奏者の視力や楽曲の譜面密度に応じて観察し易くするように設定するボタンである。
【００４０】
スイッチ表示ボタン▲８▼は、表示画面の明度・彩度の調整を指示するボタンである。
【００４１】
スイッチ表示ボタン▲９▼は、表示譜面を次ページに譜めくりすることを指示するボタンである。
【００４２】
ここで、楽譜管理装置２００が実行する制御処理を図５に示すフローチャートを参照して説明する。
【００４３】
ステップ１００１
指示入力表示部１１１からの指示入力を取り込む。
【００４４】
ステップ１００２
スイッチ表示ボタン▲５▼からの指示入力を解析して楽譜ダウンロードモードまたは演奏モードの制御処理に分岐する。
【００４５】
ステップ１１０１
楽譜ダウンロードモードが指示されると、総楽譜情報を楽譜情報媒体３００から取得して楽譜記憶部２１０に記憶する。
【００４６】
ステップ１１０２
楽譜記憶部２１０から演奏パート別に楽譜情報を取り込み、各々に識別情報を割り当て、演奏パート専用楽譜情報に編集し直す。
【００４７】
ステップ１１０３
演奏パート専用楽譜情報（演奏パート別楽譜情報と識別情報）を１パケットの送信データフォーマットに編集して送信する。
【００４８】
ステップ１２０１
演奏モードが指示されると、楽譜記憶部２１０から総楽譜情報を先頭から読み出して譜面表示部１１２に表示する。
【００４９】
ステップ１２０２
指示入力表示部１１１および譜めくり指示用フットスイッチ１１２からの指示入力を取り込む。
【００５０】
ステップ１２０３
指示入力を解析して次のステップに分岐する。
【００５１】
ステップ１２０４
初期設定段階にあってスイッチ表示ボタン「▲７▼」が指示入力されると、表示画面の表示倍率調整処理を行う。
【００５２】
ステップ１２０５
また、スイッチ表示ボタン「▲８▼」が指示入力されると、表示画面の明度および彩度の調整処理を行う。
【００５３】
ステップ１２０６
スイッチ表示ボタン「▲１▼」またはスイッチ表示ボタン「▲９▼」が指示入力されると、前後ページ指定処理を起動する。
【００５４】
ステップ１２０７
スイッチ表示ボタン▲２▼が指示入力されると、任意ページ指定処理を起動する。
【００５５】
ステップ１２０８
スイッチ表示ボタン▲３▼が指示入力されると、桝目番号指定処理を起動する。
【００５６】
ステップ１２０９
スイッチ表示ボタン▲４▼が指示入力されると、オート／マニュアル切替処理を起動する。「オート」設定では、演奏パート別の専用楽譜を自動処理し、「マニュアル」設定では総楽譜から設定された演奏パートを処理する。
【００５７】
ステップ１２１０
スイッチ表示ボタン▲５▼が指示入力されると、ステップ１００２に戻って楽譜ダウンロードまたは演奏の制御処理に分岐する。
【００５８】
ステップ１２１１
ステップ１２０６〜１２０９で起動した処理に基づいた楽譜情報編集処理を実行する。
【００５９】
ステップ１２１２
楽譜情報が残っていればステップ１２０２に戻り、楽譜情報がなくなれば処理を終了する。
【００６０】
次に、演奏者用電子譜面台１２０が実行する制御処理を図６に示すフローチャートを参照して説明する。
【００６１】
ステップ２００１
指示入力表示部１２９からの指示入力を取り込む。
【００６２】
ステップ２００２
スイッチ表示ボタン▲５▼からの指示入力を解析して楽譜ダウンロードモードまたは演奏モードの制御処理に分岐する。
【００６３】
ステップ２１０１
楽譜ダウンロードモードが指示されると、スイッチ表示ボタン▲４▼の設定を参照し、「オート」設定では該当演奏パートの演奏パート専用楽譜情報のみを弁別して受信して楽譜記憶部１２３に記憶し、「マニュアル」設定では総ての楽譜情報（総楽譜情報）を受信して楽譜記憶部１２３に記憶する。
【００６４】
ステップ２２０１
演奏モードが指示されると、スイッチ表示ボタン▲４▼を参照して制御処理を分岐する。
【００６５】
ステップ２２０２
スイッチ表示ボタン▲４▼で「マニュアル」が設定されていると、楽譜記憶部１２３に記憶している総楽譜情報から指定された演奏パートの楽譜情報を読み出して譜面表示する。そして、指示入力表示部１２９のスイッチ表示ボタンおよび譜めくり指示用フットスイッチ１３１からの入力指示に従って譜めくり制御処理を実行する。
【００６６】
ステップ２２０３
「オート」が設定されていると、楽譜記憶部１２３に記憶している演奏パート専用楽譜情報を読み出して譜面表示する。そして、スイッチ表示ボタン▲６▼を参照し、「譜めくり連動」が設定されていると、楽譜管理装置２５および同一演奏パートの演奏者用電子譜面台１３０，１４０…からの総譜面表示制御情報信号に連動して譜面表示制御処理を実行する。すなわち、楽譜管理装置２５から総楽譜（総譜面表示）における譜面表示制御情報信号を受信すると、該当演奏パートの譜面表示に換算し、管理者用電子譜面台１１０における表示譜面に相応する譜面に譜めくりする。また、同一演奏パートの演奏者用電子譜面台１３０，１４０…から該演奏者用電子譜面台１３０，１４０…の指示入力表示部１２９または譜めくり指示用フットスイッチ１３１を指示入力することによる演奏パート別譜面表示制御情報信号を受信すると、この演奏パート別譜面表示制御情報信号に従った譜めくりを実行する。この演奏パート別譜面表示制御情報信号は、予め、同一演奏パートの複数の演奏者用電子譜面台１２０〜１４０…の１つを選択して発信させるようにすると良い。
【００６７】
ステップ２２０４
楽譜情報が残っていればステップ２２０２，２２０３に戻り、楽譜情報がなくなれば処理を終了する。
【００６９】
また、楽譜情報および譜面表示制御情報信号の授受は、無線通信に限らず、有線通信とすることもできる。
【００７０】
【発明の効果】
本発明によれば、オーケストラのような多人数の演奏者に対して好適な譜面を提供することができる便利な電子譜面提供装置を提供することができる。特に、多数の電子譜面台に対して楽譜情報の提供および演奏中の表示譜面の更新（譜めくり）を容易にすることができる。
【図面の簡単な説明】
【図１】本発明の電子譜面提供装置の一実施の形態を示す機能ブロック図である。
【図２】図１に示した電子譜面提供装置における楽譜記憶部と楽譜情報記憶処理部と演奏パート別楽譜情報分配処理部の機能ブロック図である。
【図３】図１に示した電子楽譜提供装置における演奏者用電子譜面台の機能ブロック図である。
【図４】図１に示した電子楽譜提供装置における演奏者用電子譜面台の表示画面の構成図である。
【図５】図１に示した電子譜面提供装置における楽譜管理装置が実行する制御処理のフローチャートである。
【図６】図１に示した電子譜面提供装置における演奏者用電子譜面台が実行する制御処理のフローチャートである。
【符号の説明】
１１０…管理者用電子譜面台、１１１，１２９…指示入力表示部、１１２，１２８…譜面表示部、１１３，１３１…譜めくり指示用フットスイッチ、１２０，１３０，１４０…演奏者用電子譜面台、２００…楽譜管理装置、１２３，２１０…楽譜記憶部、１２２，２２０…楽譜情報記憶処理部、１２４…楽譜情報編集処理部、１２５，２３０…演奏パート別楽譜情報分配処理部、２４０…送信データ編集処理部、２５０…送信機、２６０…表示処理部、１３２，２７０…入力処理部、１３４…前後ページ指定処理部、１３５…任意ページ指定処理部、１３６…桝目番号指定処理部、１３７…オート／マニュアル切替処理部、１３８…ダウンロード／演奏切替処理部、１３９…譜めくり連動設定処理部、２８０…操作情報判別部、３００…楽譜情報媒体、３１０…ＡＳＰサーバ。
【図１】
0003818493.tif 000002
【図２】
0003818493.tif 000003
【図３】
0003818493.tif 000004
【図４】
0003818493.tif 000005
【図５】
0003818493.tif 000006
【図６】
0003818493.tif 000007